(57)【特許請求の範囲】
【請求項１】
少なくとも一端が開口する筒状のボディ（１）と、ボディ（１）の内部に組み込まれる駆動ユニット（２）と、駆動ユニット（２）の前部に装着されて駆動ユニット（２）で駆動される切断刃ユニット（３）と、ボディ（１）に対してその上半周面を覆う状態で装着される上ケース（４）とを備えており、駆動ユニット（２）は、ボディ（１）の内部に収容される電装部（２Ａ）と、ボディ（１）の前部に突出して切断刃ユニット（３）を支持するヘッド部（２Ｂ）とを備えており、ヘッド部（２Ｂ）とボディ（１）との接合縁（Ｓ）の上半周面が、上ケース（４）で覆われていることを特徴とする電気バリカン。
【請求項２】
防塵部（４２）が、上ケース（４）の他の周側壁より外側方へ膨出形成されている請求項１記載の電気バリカン。
【請求項３】
前記接合縁（Ｓ）と対向する上ケース（４）の面壁に、外膨らみ状の膨出部（３９）が形成されており、該接合縁（Ｓ）と膨出部（３９）との間に衝撃緩和用の隙間が設けられている請求項１または２記載の電気バリカン。
【請求項４】
ヘッド部（２Ｂ）とボディ（１）との接合縁（Ｓ）がシール（２１）で封止されているとともに、ボディ（１）の外面に露出するスイッチ機構と入力端子部（１３）とがそれぞれシール（３５・５５）で封止されていて、水洗い可能になっている請求項１、２または３記載の電気バリカン。
【請求項５】
上ケース（４）と対向するボディ（１）の壁面に、電装部（２Ａ）に設けた二次電池（１０）から発生するガスを逃がすためのガス放出口（５８）が設けてある請求項１、２、３または４記載の電気バリカン。
【請求項６】
上ケース（４）に設けた切換え具（５）と、ボディ（１）と電装部（２Ａ）との間に設けられて切換え具（５）の往復動作を電装部（２Ａ）に設けたスイッチ端子（１２）に伝えて、モーター（９）への通電状態を切り換えるスイッチ機構とを有し、上ケース（４）をボディ（１）に装着した状態において、切換え具（５）とスイッチ機構とが、連動可能に連結されている請求項４または５記載の電気バリカン。
【請求項７】
上ケース（４）の内面に、スイッチ機構の外ピース（４５）と係合して、外ピース（４５）を往復動可能に支持する軸（５６）が突設されている請求項５または６記載の電気バリカン。
【発明の詳細な説明】
【０００１】
【発明の属する技術分野】
本発明は、筒状のボディと、ボディに組み込まれる駆動ユニットと、駆動ユニットの前部のヘッド部に装着される切断刃ユニットとを備えている電気バリカンに関する。
【０００２】
【従来の技術】
この種の電気バリカンは、例えば実公昭６３−４９２５２号公報にみることができる。そこでは、図１７に示すように、筒状のボディ７０と、ボディ７０の前部外面に固定される取付台７１と、取付台７１の前部に着脱自在に装着される切断刃ユニット７２と、取付台７１の上面に装着されて切断刃ユニット７２の上面を覆うカバー７３などを備えている。取付台７１の下面側にはスイッチノブ７４を設けてあり、このスイッチノブ７４をスライド操作することにより、モーター７５への通電をオン・オフできるようになっている。また、取付台７１とボディ７０との接合部、切断刃ユニット７２の駆動軸７６の周縁、およびスイッチノブ７４の周縁部は、シールすることによって全体を水洗い可能としている。
【０００３】
【発明が解決しようとする課題】
上記の電気かみそりによれば、切断刃ユニット７２やカバー７３の内面に付着した毛屑は、流水等で容易に洗い流すことができる。しかしボディ７０と取付台７１との間の接合縁がかみそり周面に周回状に露出し、しかも取付台７１側にスイッチノブ７４を設ける関係で、取付台７１とボディ７０との間のシールをボディの内奥で行わざるを得ないため、カバー７３で排出案内された毛屑が、接合縁の僅かな隙間に入り込むことがある。このように僅かな隙間に入り込んだ毛屑を放置すると、次回使用時の切断刃ユニット７２の振動や落下衝撃によって、毛屑が接合部の内奥へ入り込んで接合縁の隙間を拡大するため、毛屑がさらに入り込みやすくなって衛生上の問題がある。
【０００４】
ボディ７０と取付台７１との間の接合縁がかみそり周面に周回状に露出しているので、電気かみそりを誤って取り落とし、落下衝撃が取付台７１とボディ７０との接合部に集中して作用するような場合に、接合部が破損しやすい。取付台７１の底にスイッチ構造を設け、スイッチノブ７４のスライドストローク分だけ取付台７１に開口７７が設けてあることも、接合部の構造強度が低下しやすくなる一因になっていた。
【０００５】
本発明の目的は、ヘッド部とボディとの接合縁がかみそり表面、とくに毛屑が排出案内される側に露出するのを解消して、ヘッド部とボディとの接合縁の隙間に毛屑が入り込むのを防止し、常に衛生的な状態で使用できる電気かみそりを提供することにある。本発明の目的は、ヘッド部とボディとの接合部に落下衝撃が集中するのを極力避けられるようにし、電気かみそりを誤って取り落としたような場合にも、接合部の破損を防止できる電気かみそりを提供することにある。
【０００６】
【課題を解決するための手段】
本発明の電気バリカンは、図１に示すごとく少なくとも一端が開口する筒状のボディ１と、ボディ１の内部に組み込まれる駆動ユニット２と、駆動ユニット２の前部に装着されて駆動ユニット２で駆動される切断刃ユニット３と、ボディ１に対してその上半周面を覆う状態で装着される上ケース４とを備えている。駆動ユニット２は、図３および図４に示すごとくボディ１の内部に収容される電装部２Ａと、ボディ１の前部に突出して切断刃ユニット３を支持するヘッド部２Ｂとを備えている。かくして、ヘッド部２Ｂとボディ１との接合縁Ｓの上半周面が、図３に示すごとく上ケース４で覆われていることを特徴とする。
【０００８】
前記接合縁Ｓと対向する上ケース４の面壁には、図１に示すごとく外膨らみ状の膨出部３９を形成して、前記接合縁Ｓと膨出部３９との間に衝撃緩和用の隙間が設けられている。
【０００９】
ヘッド部２Ｂとボディ１との接合縁Ｓが、図５に示すごとくシール２１で封止されているとともに、ボディ１の外面に露出するスイッチ機構と、入力端子部１３とが、図６に示すごとくそれぞれシール３５・５５で封止されていて、電気バリカンを水洗い可能にすることができる。
【００１０】
上ケース４と対向するボディ１の壁面には、図１２に示すごとく電装部２Ａに設けた二次電池１０から発生するガスを逃がすためのガス放出口５８を設けることができる。
【００１１】
スイッチ部は、図１２に示すごとく上ケース４に設けた切換え具５と、ボディ１と電装部２Ａとの間に設けられて切換え具５の往復動作を電装部２Ａに設けたスイッチ端子１２に伝えて、モーター９への通電状態を切り換えるスイッチ機構とを有し、上ケース４をボディ１に装着した状態において、切換え具５とスイッチ機構とが連動可能に連結されたものとすることができる。
【００１２】
上ケース４の内面には、図１１に示すごとく前記スイッチ機構の外ピース４５と係合して、外ピース４５を往復動可能に支持する軸５６を突設することができる。
【００１３】
【発明の作用効果】
ボディ１とは別に、これの上半周面を覆う上ケース４を設け、上ケース４でボディ１とヘッド部２Ｂとの接合縁Ｓの上半周面を覆い隠すようにしたので、接合縁Ｓは毛屑が排出案内される側において露出するのを解消でき、これによりヘッド部２Ｂとボディ１との接合縁Ｓの隙間に毛屑が入り込むのを防止し、常に衛生的な状態で電気かみそりを使用できる。ヘッド部２Ｂとボディ１との接合部の外面が上ケース４で覆われているので、落下衝撃がヘッド部２Ｂとボディ１との接合部に集中するのを極力避けることができ、従って電気かみそりを誤って取り落としたような場合にも接合部が破損するのをよく防止できる。
【００１５】
接合縁Ｓと対向する上ケース４の面壁に外膨らみ状の膨出部３９を形成して、接合縁Ｓと膨出部３９との間に衝撃緩和用の隙間が設けられていると、誤って電気かみそりを取り落としたような場合に、膨出部３９で落下衝撃を受けることができるうえに、外力による膨出部３９の弾性変形を隙間で吸収できるので、接合縁Ｓに外力が作用するのを避けて、ボディ１とヘッド部２Ｂとの接合部をさらに確実に保護できる。
【００１６】
前記接合縁Ｓ、ボディ１の外面に露出するスイッチ機構、入力端子部１３のそれぞれがシール２１・３５・５５で封止されていて、水洗い可能に構成した電気バリカンによれば、ヘッド部２Ｂやその周辺部に付着した毛屑を流水等で簡単に洗い流すことができるし、上ケース４側から流水を流すことにより、洗い流された毛屑が接合縁Ｓに再付着したり、あるいはその隙間に入り込んだりするのを阻止できる。
【００１７】
上ケース４と対向するボディ１の壁面にガス放出口５８が設けてあると、その外面を上ケース４で覆い隠すことができるので、ガス放出口５８がボディ１の表面に露出するのを避けて、電気かみそりの外観を向上できるうえ、ガス放出口５８に設けたフィルター１０が他物に当たって破損したり、あるいはいたずらを受けて破かれたりするのを確実に防止できる。
【００１８】
上ケース４に切換え具５を設けておき、上ケース４をボディ１に装着した状態において、切換え具５とスイッチ機構とが連動可能に連結できるようにしてあると、ボディ１側に設けたスイッチ構造と、上ケース４側に設けた切換え具５との組み付けが簡単に行え、スイッチ機構の組み立てに要する手間を省くことができる。
【００１９】
上ケース４の内面に設けた軸５６で外ピース４５を往復動可能に支持すると、外ピース４５をそのレバー軸４８と軸５６とで協働して支持することができるので、外ピース４５を安定した状態で支持して、その切り換え動作を円滑化でき、その分だけスイッチ機構の信頼性が向上する。
【００２０】
【実施例】
（実施例１）
図１ないし図１４は本発明に係る電気バリカンの実施例を示す。電気バリカンは、プラスチック成形品からなる有底筒状のボディ１と、ボディ１に組み込まれる駆動ユニット２と、駆動ユニット２の前部下面側に装着される切断刃ユニット３と、ボディ１に対してその上半周面を覆う状態で装着される上ケース４などで構成する。図２において上ケース４の上面前部寄りには、モーター９への通電状態を切り換えるためのスライドノブ（切換え具）５が設けられており、その後部寄りに開口が設けてある。
【００２１】
図４および図６において駆動ユニット２は、ボディ１の内部に収容される電装部２Ａと、電装部２Ａの前部にビス７で固定されてボディ１の前部に突出するヘッド部２Ｂとで構成する。電装部２Ａは、プラスチック成形された枠状のホルダー８に、モーター９、２個の二次電池１０、プリント基板１１などの電装品を組み付けて一体化してあり、プリント基板１１の上面前部に、後述するスイッチ機構で切り換え操作されるスイッチ端子１２（図６参照）が設けてある。電装部２Ａの後端には、左右一対の入力端子１３が後ろ向きに突設され、その両側にねじボス１４が突設してある。入力端子１３は、二次電池１０を充電する際に、あるいは交流電源でモーター９を駆動する際に使用する。プリント基板１１には、発光ダイオード１５が設けてある。
【００２２】
ヘッド部２Ｂは、プラスチック成形品からなるヘッド台１７と、ヘッド台１７の内部に組み付けられる振動子１８と、振動子１８の駆動軸１８ａとヘッド台１７との間の隙間を封止するパッキン１９と、ヘッド台１７の前面壁に固定されて先のパッキン１９を押え保持するマウント板２０などで構成する。図７においてヘッド台１７は、電装部２Ａへ向かって開口する異形筒状の基部１７ａと、基部１７ａの前部左右に突設した船尾形状の翼壁１７ｂとを備えており、基部１７ａをホルダー８の前部に外嵌し、これら両者をビス７で締結することにより、ヘッド部２Ｂと電装部２Ａとを一体化し、同時にマウント板２０をヘッド台１７に固定している。この締結状態において、モーター９の出力軸９ａに固定した偏心カム２２は、図６に示すように振動子１８の受動レバー１８ｂと係合しており、これでモーター９の回転動力を左右方向の往復動作に変換できる。図５に示すようにボディ１の開口に内嵌する基部１７ａの周壁の段部には、リング状のシール２１が装着してある。ビス７は図６に示すようにリング状のシール６１で封止してある。
【００２３】
図４ないし図６において切断刃ユニット３は、プラスチック成形された刃ホルダー２３に固定される固定刃２４と、プラスチック成形されたばね台２５に固定される可動刃２６と、可動刃２６を固定刃２４に押し付け付勢する押えばね２７とからなる。ばね台２５の上面には、振動子１８の駆動軸１８ａと係合する受動枠部２８が設けてある。固定刃２４および可動刃２６は、それぞれ先端に連続山形の切刃が形成してあるせん断刃体からなる。
【００２４】
切断刃ユニット３は、先のヘッド台１７に着脱自在に装着される。そのために、図７に示すごとく刃ホルダー２３の下端中央にブラケット部を設け、その左右に軸２９を設ける。さらに刃ホルダー２３の左右両側に係合突起３０を突設する。ヘッド台１７の翼壁１７ｂの下端には、先の軸２９を受け入れる左右一対の軸受部３１を設けてあり、係合突起３０を係合補足するばね腕３２が先のマウント板２０に一体に折り曲げ形成されている。図８に示すように、切断刃ユニット３をヘッド台１７に装着した状態では、左右一対の翼壁１７ｂの前側開口面が切断刃ユニット３で塞がれる。
【００２５】
図６において、上記のように組み上げた駆動ユニット２は、ボディ１の前部開口側からボディ１内へ差し込み、ボディ１の後端壁側から差し込んだビス３４を、電装部２Ａのねじボス１４にねじ込むことにより、駆動ユニット２はボディ１と一体化できる。この状態においてヘッド台１７とボディ１との接合縁Ｓは、ボディ１の開口縁の近傍において先に説明したシール２１で封止される。入力端子１３とボディ１との間、およびねじボス１４とボディ１との間は、図６に示すごとくそれぞれ入力端子１３およびねじボス１４に外嵌したリング状のシール３５・３６で封止される。発光ダイオード１５と対向するボディ１の上壁には、表示窓６が超音波溶着してある。この表示窓６は透明プラスチック材でレンズとして形成してあり、スライドノブ５をオフ操作して、充電する際に点灯する発光ダイオード１５からの照明光を集光し、上ケース４の外へ放射する。
【００２６】
図１ないし図４において上ケース４は、ボディ１の上半周面覆うシェル部３７と、シェル部３７の前部に連続して、切断刃ユニット３およびヘッド部２Ｂの上面を覆う庇部３８とが一体に成形されたプラスチック成形品からなる。庇部３８は切断刃ユニット３の先端へ向かって下り傾斜させてあり、傾斜上端に落下衝撃を緩和吸収するための膨出部３９を一体に突設してあり、この膨出部３９と接合縁Ｓとの間に隙間を確保する（図５参照）。上ケース４を設けることで、ボディ１とヘッド部２Ｂとの接合縁Ｓに、落下衝撃などの外力が直接作用するのを防止できるうえ、膨出部３９で落下衝撃を受けることによって接合縁Ｓをさらに確実に保護できる。
【００２７】
シェル部３７の下側開口縁のうち、前記接合縁Ｓと交差する個所に防塵部４２を設ける。防塵部４２は、他の下側開口縁より下向きに突出され、図３に示すように接合縁Ｓと交差する部分を越えて、翼壁１７ｂの中途部からボディ１の中途部にわたって前後に長く形成してある。さらに、図１０に示すように防塵部４２は、上ケース４の他の周壁より外側方へ膨出形成されている。このように接合縁Ｓを上ケース４で覆い、さらに防塵部４２による接合縁Ｓの覆域が下方へ拡大されていると、庇部３８で排出案内された毛屑を防塵部４２の膨出端から落下させることができるうえ、接合縁Ｓの大半を覆い隠して毛屑が接合縁Ｓに詰まるのを確実に防止できる。なお、上ケース４はボディ１に対して係合装着されており、必要に応じてボディ１から取り外すことができる。防塵部４２の後端には、防塵部４２を内凹み状に湾曲させて滑り止め部４３が設けてある。符号４０はガス通口である。
【００２８】
前記膨出部３９に隣接してこれの後ろ側上面にスライドノブ５が配置されている。スライドノブ５は、上ケース４に対して前後スライド可能に組み付けられており、その内面にスイッチ機構を切り換え操作する一対の連結爪４４が設けてある。図１１ないし図１４においてスイッチ機構は、ボディ１の上面に装着されて往復回動する外ピース４５と、ホルダー８の上面に揺動可能に装着されて外ピース４５の回動動作を受け継ぐレバー状の内ピース４６と、内ピース４６で前後方向にスライド自在に切り換え操作されるスイッチ端子１２とで構成する。図１２において外ピース４５は、連結爪４４と係合して前後に回動操作されるレバー４７およびレバー軸４８と、レバー４７と同心状に設けられる円弧枠４９と、円弧枠４９の一側に突設した扇形の節動ピース５０とを一体に成形したプラスチック部品からなる。ボディ１の上面には、円弧枠４９に内嵌する部分円弧状のガイドリブ５２と、節動ピース５０に乗り越え抵抗を与える突起５３とが設けてある。外ピース４５をボディ１に組み付けた状態において、図１１に示すごとくレバー軸４８はボディ１の上壁に設けた孔を介してボディ１内へ突出し、その突端が内ピース４６の溝５４と係合する。レバー軸４８とボディ１との間は、レバー軸４８に外嵌したリング状のシール５５で封止してある。上ケース４の内面には、レバー軸４８と協働してレバー４７を軸支するための軸５６が突設してある。
【００２９】
図１３に示すオフ位置のスライドノブ５を、図１４に示すようにヘッド部２Ｂ側へ向かってスライド操作すると、外ピース４５の全体が時計回転方向へ回動し、その間に節動ピース５０が突起５３を乗り越えてオン位置に切り換る。同時に、内ピース４６が時計回転方向へ回動して、スイッチ端子１２をスライドノブ５とは逆向きにスライド操作し、オン状態に切り換える。これによりモーター９が起動し、発光ダイオード１５が点灯する。スライドノブ５をオフ側へスライド操作すると、各部材は逆向きに作動して元の状態へ復帰する。
【００３０】
ボディ１内に設けた二次電池１０を充電するとき水素ガスが発生する。この水素ガスを空気中に放出するために、図１２に示すように上ケース４と対向する部分、詳しくは表示窓６に隣接するボディ１の上面に、ガス放出口５８が設けてある。ガス放出口５８は、ボディ１の周壁に通設した孔５９をフィルター６０で塞いで構成してある。フィルター６０は気体の通過は許すが、液体の通過は阻止できる膜体で形成されている。
【００３１】
先に述べたように、ボディ１の外に臨む各部をシールすることによって、電気かみそりは水洗い可能に構成してあるが、組み立て工程において各部のシール状態が完全であるか否かを確認する必要がある。この気密度試験は、上ケース４を除く全ての部品をボディ１に組み込んだ後、ガス放出用の孔５９を利用してボディ１内に真空圧を作用させて行う。試験の結果、シール不良がないことを確認したうえで、フィルター６０を孔５９の開口周縁壁に熱溶着する。この後、スイッチノブ５が組まれた上ケース４をボディ１に嵌合装着することにより、本体まわりの組み立てを完了できる。このとき連結爪４４とレバー４７とが連動可能に係合する。最後に、切断刃ユニット３をヘッド部２Ｂに取り付けることにより、バリカンの組み立てを完了できる。ガス放出口５８はボディ１の周壁のどこかに設けなければならないが、上記のように上ケース４で覆われる個所にガス放出口５８を設けてあると、上ケース４でガス放出口５８を隠せるので電気かみそりの外観上の体裁が向上する。
【００３２】
上記の実施例では、ボディ１の上半周面を上ケース４で覆ったが、図１５に示すようにボディ１の前部側の上半周面のみを上ケース４で覆うようにしてもよい。さらには図１６に示すように防塵部４２をボディ１の下面側まで延長形成して、接合縁Ｓを防塵部４２で抱持状に覆い隠すことができる。
【００３３】
上記の実施例では、電気かみそりが水洗い可能である場合について説明したが、本発明は水洗いできない電気かみそりにも同様に適用できる。ボディ１は、入力端子１３側の端壁も開口することができ、その場合には、別に設けた蓋体で開口を塞ぎ、この蓋体に入力端子１３を設けることができる。切換え具５は、スライドノブ以外に押しボタンや回動するレバーであってもよい。
【図面の簡単な説明】
【図１】上ケースを破断した状態での側面図である。
【図２】正面図である。
【図３】側面図である。
【図４】側面からみた分解断面図である。
【図５】縦断側面図である。
【図６】縦断正面図である。
【図７】ヘッド部の分解斜視図である。
【図８】ヘッド部の縦断側面図である。
【図９】切断刃ユニットを開放した状態でのヘッド部の縦断側面図である。
【図１０】図２におけるＡ−Ａ線断面図である。
【図１１】スイッチ機構の断面図である。
【図１２】スイッチ機構とその周辺構造を示す分解斜視図である。
【図１３】スイッチ機構の正面図である。
【図１４】スイッチ機構をオン状態に切り換えた正面図である。
【図１５】上ケースの別実施例を示す側面図である。
【図１６】上ケースのさらに異なる別実施例を示す側面図である。
【図１７】従来例の要部の断面図である。
【符号の説明】
１  ボディ
２  駆動ユニット
２Ａ  駆動ユニットの電装部
２Ｂ  駆動ユニットのヘッド部
３  切断刃ユニット
４  上ケース
５  切換え具
９  モーター
１０  二次電池
１２  スイッチ端子
１３  入力端子部
１７  ヘッド台
２１  シール
３４  シール
３７  シェル部
３８  庇部
３９  膨出部
４２  防塵部
４５  外ピース
５５  シール
５６  軸
５８  ガス放出口
Ｓ  接合縁
【図１】
0004817212.tif 000002
【図２】
0004817212.tif 000003
【図３】
0004817212.tif 000004
【図４】
0004817212.tif 000005
【図５】
0004817212.tif 000006
【図６】
0004817212.tif 000007
【図７】
0004817212.tif 000008
【図８】
0004817212.tif 000009
【図９】
0004817212.tif 000010
【図１０】
0004817212.tif 000011
【図１１】
0004817212.tif 000012
【図１２】
0004817212.tif 000013
【図１３】
0004817212.tif 000014
【図１４】
0004817212.tif 000015
【図１５】
0004817212.tif 000016
【図１６】
0004817212.tif 000017
【図１７】
0004817212.tif 000018